(57)【特許請求の範囲】
【請求項１】
抽せん番号桁数のうち、当せん対象となる上桁数の入力を受け付ける当せん対象桁数入力受付手段と、
券組枚数の入力を受け付ける券組枚数入力受付手段と、
裁断された抽せん券の搬入を受け付けて、前記券組枚数の連番の抽せん番号が袋詰される券組を作成する袋詰手段と、
前記券組を順に排出する券組排出手段と、
前記排出された券組に袋詰されている抽せん番号の前記上桁数の上桁の共通する番号を特定する上桁共通番号特定手段と、
前記排出された券組の前記特定した上桁の共通する番号の変化を検出する番号変化検出手段と、
前記上桁の共通する番号が変化するまで、前記排出された券組を、複数の売場宛として順に振り分ける振り分け手段と、
を備えることを特徴とする抽せん券振り分け装置。
【請求項２】
抽せん券振り分け装置における抽せん券振り分け方法であって、
当せん対象桁数入力受付手段が、抽せん番号桁数のうち、当せん対象となる上桁数の入力を受け付け、
券組枚数入力受付手段が、券組枚数の入力を受け付け、
袋詰手段が、裁断された抽せん券の搬入を受け付けて、前記券組枚数の連番の抽せん番号が袋詰される券組を作成し、
券組排出手段が、前記券組を順に排出し、
上桁共通番号特定手段が、前記排出された券組に袋詰されている抽せん番号の前記上桁数の上桁の共通する番号を特定し、
番号変化検出手段が、前記排出された券組の前記特定した上桁の共通する番号の変化を検出し、
振り分け手段が、前記上桁の共通する番号が変化するまで、前記排出された券組を、複数の売場宛として順に振り分ける
ことを特徴とする抽せん券振り分け方法。
【発明の詳細な説明】
【技術分野】
【０００１】
本発明は、袋詰された抽せん券の券組を複数の売場への配送用に振り分ける抽せん券振り分け装置及び抽せん券振り分け方法に関する。
【背景技術】
【０００２】
従来、抽せん券は、印刷会社で印刷され、その後、規定枚数毎（現状では１０枚毎）に袋詰が行なわれて券組が作成される。そして、その券組の束を箱詰めして、各売場に配送している。この券組の箱詰めは、通常、続き番号となる複数の券組が１つの箱に箱詰めされている。従って、１つの売場では、続き番号の複数の券組が販売されることとなる。そして、各売場への抽せん券の配送後に、抽せん券の当せん番号がランダムに決定されることから、当せん番号に一致する抽せん番号を販売する売場は、全国の売場に分散される。なお、宝くじ券の管理、配送に関する技術が特許文献１に開示されている。
【特許文献１】特開２００２−１２３６４４
【発明の開示】
【発明が解決しようとする課題】
【０００３】
ここで、抽せん番号において当せん対象が、上から所定の桁数の番号（以下「上桁」という）であるような抽せん券を販売することを考える。例えば、抽せん番号が６桁である場合において、４桁の上桁を当せん対象とした場合、当せん番号が「１２３４」であれば「１２３４００」〜「１２３４９９」の番号全てが当せんとなる。しかしながらこのような当せん方式により抽せん券を販売した場合、上述した現状の抽せん券の振り分け方法、つまり、続き番号となる複数の券組を１つの箱に箱詰して、各売場に配送するような方法であると、当せん番号に一致する抽せん番号の抽せん券を販売する売場が全国に分散されなくなってしまう。上述の例を用いた場合、当せん番号が「１２３４」であれば、「１２３４００」〜「１２３４９９」の抽せん番号が袋詰された券組は、１つの売場に集中している可能性が高いため、その売場のみで、当せん番号「１２３４」に一致する抽せん番号が全て販売されてしまう可能性がある。従って、抽せん番号において当せん対象となる桁が、規定の桁数の上桁であるような抽せん券を販売する場合には、当せんとなる抽せん券の販売される売場が散らばるように配慮して、宝くじ券の振り分けを行なわなければならない。
【０００４】
そこでこの発明は、抽せん番号において当せん対象となる桁が、規定の桁数の上桁であるような抽せん券を販売する場合に、当せんとなる抽せん券を販売する売場が散らばるように券組の配送を振り分けることのできる、抽せん券振り分け装置及び抽せん券振り分け方法を提供することを目的としている。
【課題を解決するための手段】
【０００５】
上記目的を達成するために、本発明は、抽せん番号桁数のうち、当せん対象となる上桁数の入力を受け付ける当せん対象桁数入力受付手段と、券組枚数の入力を受け付ける券組枚数入力受付手段と、裁断された抽せん券の搬入を受け付けて、前記券組枚数の連番の抽せん番号が袋詰される券組を作成する袋詰手段と、前記券組を順に排出する券組排出手段と、前記排出された券組に袋詰されている抽せん番号の前記上桁数の上桁の共通する番号を特定する上桁共通番号特定手段と、前記排出された券組の前記特定した上桁の共通する番号の変化を検出する番号変化検出手段と、前記上桁の共通する番号が変化するまで、前記排出された券組を、複数の売場宛として順に振り分ける振り分け手段と、を備えることを特徴とする抽せん券振り分け装置である。
【０００６】
また本発明は、抽せん券振り分け装置における抽せん券振り分け方法であって、当せん対象桁数入力受付手段が、抽せん番号桁数のうち、当せん対象となる上桁数の入力を受け付け、券組枚数入力受付手段が、券組枚数の入力を受け付け、袋詰手段が、裁断された抽せん券の搬入を受け付けて、前記券組枚数の連番の抽せん番号が袋詰される券組を作成し、券組排出手段が、前記券組を順に排出し、上桁共通番号特定手段が、前記排出された券組に袋詰されている抽せん番号の前記上桁数の上桁の共通する番号を特定し、番号変化検出手段が、前記排出された券組の前記特定した上桁の共通する番号の変化を検出し、振り分け手段が、前記上桁の共通する番号が変化するまで、前記排出された券組を、複数の売場宛として順に振り分けることを特徴とする抽せん券振り分け方法である。
【発明の効果】
【０００７】
本発明によれば、抽せん番号において当せん対象となる桁が、規定の桁数の上桁であるような抽せん券を販売する場合に、当せんとなる抽せん券を販売する売場が散らばるような券組の配送を振り分けを行なうことができる。
【発明を実施するための最良の形態】
【０００８】
以下、本発明の一実施形態による抽せん券振り分け装置を図面を参照して説明する。
図１は同実施形態による抽せん券振り分け装置の構成を示すブロック図である。
この図において、符号１は抽せん券を印刷する印刷機である。また２は複数の連番の抽せん券が印刷された一枚のシートを裁断する裁断機である。また３は裁断機２から搬出された抽せん券を、連番で、指定された枚数毎にまとめるスタック装置である。また４はスタック装置３から搬出された連番の複数の抽せん券を袋詰して券組を作成する袋詰装置である。また５は券組を配送先の売場毎に振り分ける売場別仕分け装置である。また１０はスタック装置３、袋詰装置４、売場別仕分け装置５を制御する振り分け管理装置である。そして、印刷機１、裁断機２、スタック装置３、袋詰装置４、売場別仕分け装置５、振り分け管理装置１０により、抽せん券振り分け装置が構成されている。
【０００９】
なお、印刷機１と裁断機２、裁断機２とスタック装置３、スタック装置３と袋詰装置４、袋詰装置４と売場別仕分け装置５の各連結部分は、搬送機などにより、接続されているものとする。そして、印刷機１から裁断機２へは、複数の連番の抽せん券が印刷された一枚のシートが、印刷機１から、搬送機等により裁断機２へ搬送される。また、裁断機２からスタック装置３へは、裁断された抽せん券それぞれが、裁断機２から、搬送機等によりスタック装置３へ搬送される。またスタック装置３から袋詰装置４へは、連番で規定枚数毎にまとめられた抽せん券が、スタック装置３から、搬送機等により袋詰装置４へ搬送される。また袋詰装置４から売場別仕分け装置５へは、袋詰された券組が、袋詰装置４から、搬送機等により売場別仕分け装置５へ搬送される。
【００１０】
図２は振り分け管理装置１０の機能ブロック図である。
この図が示すように、振り分け管理装置１０は、入力部１１、通信処理部１２、制御部１３、券組枚数通知部１４、振り分け管理部１５、記憶部１６を備えている。ここで、入力部１１は、振り分け管理装置１０を操作する管理者から入力情報を受け付ける。また通信処理部１２は、スタック装置３や袋詰装置４や売場別仕分け装置５との間で情報を送受信する。また制御部１３は、振り分け管理装置１０の各処理部を制御する。また券組枚数通知部１４は券組枚数をスタック装置３に通知する。
【００１１】
図３は振り分け管理装置１０の処理フローを示す図である。
次に、抽せん券振り分け装置の処理フローについて説明する。
まず、振り分け管理装置１０の入力部１１が、ユーザの操作に基づいて、抽せん券の抽せん番号の桁数、抽せん券の１ユニットに含まれる組数、何ユニット印刷するかを示すユニット数、券組枚数、抽せん番号において当せん対象となる上桁の桁数の入力を受け付ける（ステップＳ１０１）。なお、ユニットとは、所定の数の組番号と各組に割り当てられる抽せん番号によって算出される宝くじ券の販売単位を示す。本実施形態においては１ユニットには、「０１組」〜「１００組」の１００種類の組番号を設け、この各組について「１０００００」〜「１９９９９９」の１０万の抽せん番号（下位番号）が存在するものとする。つまり１ユニットには、合計１０００万の抽せん番号が存在する。また、この１０００万枚の抽せん券を１ユニットとして複数のユニットの抽せん券が印刷されるものとする。
【００１２】
また、本実施形態においては抽せん番号の桁数は「６」、券組枚数は「１０」、当せん対象となる上桁の桁数は「３」であるとする。振り分け管理装置１０の入力部１１は、これら入力を受け付けた各情報を記憶部１６に登録する。そして、抽せん券の製造管理者が印刷機１に抽せん券の印刷データを読み込ませ、これにより、印刷機１が複数の連番の抽せん券が印刷された一枚のシートを、若いユニット番号、組番号、抽せん番号の抽せん券から順にシートへ印刷する。また裁断機２がシートを裁断して抽せん券毎に分割してスタック装置３へ搬出する。なお、本実施形態においては、説明の便宜上、当せん対象となる番号に組番号は含まれず、６桁の抽せん番号における上３桁のみが当せん対象であるとする。しかしながら、２桁の組番号と、６桁の抽せん番号を連ねて、その上３桁や上４桁が当せん対象であるとするようにしても良い。
【００１３】
次に、振り分け管理装置１０においては、券組枚数通知部１４がスタック装置３へ記憶部１６で記憶する券組枚数「１０」を通知する（ステップＳ１０２）。そして、スタック装置３は通知を受けた券組枚数毎に、裁断機２から搬出された抽せん券を連番で、券組枚数である１０枚毎に、重ねるなどしてまとめていき、袋詰装置４へ搬出する。また袋詰装置４は、スタック装置３から搬出された１０枚毎の抽せん券の束を、順に袋詰して券組を作成する。そして袋詰装置４は券組を順に売場別仕分け装置５へ搬出する。袋詰装置４は袋詰された券組を１つ搬出するたびに、振り分け管理装置１０に券組の搬出通知を行なう。
【００１４】
振り分け管理装置１０においては、振り分け管理部１５が、袋詰装置４から搬出通知を受信する（ステップＳ１０３）。そしてこの券組の搬出通知の受信の度に、売場別仕分け装置５において、券組が順に搬入されたと判定する（ステップＳ１０４）。ここで、抽せん番号が６桁であり、当せん対象が上３桁であるため、当せん対象から外れる桁は抽せん番号の下３桁である。この桁数は振り分け管理部１５が「抽せん番号桁数−当せん対象桁数」により算出する（ステップＳ１０５）。そして、「抽せん番号桁数６−当せん対象桁数３＝３」であるため、振り分け管理部１５は、３桁の各桁が０〜９の何れかの値になる場合の組合せは３の１０×１０×１０の計算により１０００を算出し、上３桁の同じ番号となる抽選番号の数を１０００を導く（ステップＳ１０６）。そして、券組枚数が「１０」であるため、上３桁が同じ番号の券組の数は１０００÷１０により１００と算出する（ステップＳ１０７）。従って、２桁のカウンタを用いて、券組の搬出通知を受信する度に「００」から「９９」までカウントし（ステップＳ１０８）、２桁のカウントが１回転したか否かを判定する（ステップＳ１０９）。そして、「００」〜「９９」までの各カウントにおいては、当せん対象の上３桁が変更していないことを示す当せん対象桁変更情報「０」を、売場別仕分け装置５へ送信し（ステップＳ１１０）、また一回転することにより、「９９」から「００」にカウンタが戻ったときにのみ、当せん対象の上３桁が変更したことを示す当せん対象桁変更情報「１」を送信する（ステップＳ１１１）。つまり、２桁のカウンタが１回転するたびに、振り分け管理装置１０は、袋詰装置４から売場別仕分け装置５へ、当せん対象となる上３桁が変化した抽せん番号を含む券組が袋詰装置４から売場別仕分け装置５へ搬出されたことを検出して、それを売場別仕分け装置５へ通知していることとなる。そして、振り分けが終了したかを判定し（ステップＳ１１２）、終了と判定するまで、ステップＳ１０５〜ステップＳ１１２を繰り返す。
【００１５】
そして、売場別仕分け装置５は、当せん対象の上３桁が変更していないことを示す当せん対象桁変更情報「０」を受信している間は、順に搬入された券組を、所定のランダムな仕分け方法により、多数の売場に振り分けられるように振り分ける。ここで売場別仕分け装置５は、当せん対象の上３桁が変更していないことを示す当せん対象桁変更情報「０」を受信している間、自動的に複数の箱に券組を振り分けて梱包機構により梱包してもよい。また、売場別仕分け装置５は、当せん対象の上３桁が変更したことを示す当せん対象桁変更情報「１」を受信した場合には、再度、所定のランダムな仕分け方法により、券組を振り分ける処理を行い、これを繰り返す。
【００１６】
なお、所定のランダムな仕分け方法とは、例えば本実施形態においては、上３桁の当せん対象の番号が同一の券組は、「００」〜「９９」までの１００個の券組があるため、ベルトコンベアなどで搬送される１００個の箱順に、上３桁の当せん対象の番号が同一の券組を一つずつ箱詰めしていき、当せん対象の上３桁が変更したことを示す当せん対象桁変更情報「１」の受信を契機に、再度、ベルトコンベアなどで搬送される１００個の箱順に、上３桁の当せん対象の番号が同一の券組を一つずつ箱詰めしていき、これを繰り返すことによって、１００店の売場に、１つの当せん番号に対する当せん対象の袋詰が行き渡るように制御することができる。
【００１７】
以上、本発明の実施形態について説明したが、上述の処理によれば、抽せん番号において当せん対象となる桁が、規定の桁数の上桁であるような抽せん券を販売する場合に、当せんとなる抽せん券を販売する売場が散らばるような券組の配送を振り分けを行なうことができる。
【図面の簡単な説明】
【００１８】
【図１】抽せん券振り分け装置の構成を示すブロック図である。
【図２】振り分け管理装置の機能ブロック図である。
【図３】振り分け管理装置の処理フローを示す図である。
【符号の説明】
【００１９】
１・・・印刷機
２・・・裁断機
３・・・スタック装置
４・・・袋詰装置
５・・・売場別仕分け装置
１０・・・振り分け管理装置
１１・・・入力部
１２・・・通信処理部
１３・・・制御部
１４・・・券組枚数通知部
１５・・・振り分け管理部
１６・・・記憶部
【図１】
0005073555.tif 000002
【図２】
0005073555.tif 000003
【図３】
0005073555.tif 000004